(57)【特許請求の範囲】
【請求項１】
半導体発光素子を有する複数の光源と、
前記複数の光源が取り付けられる基台と、
前記複数の光源を覆うカバー部材とを備え、
前記カバー部材は、前記複数の光源のうちの３つの光源を結び形成される三角形であって３辺の長さの合計が最小となる三角形の少なくとも一部を含む位置に、前記基台の一部を露出させる開口部を有し、
さらに、
前記カバー部材の中央部分に配置され、前記カバー部材を前記基台に固定する固定部材を備え、
前記カバー部材は、前記固定部材を挟む２つの前記開口部を有する
照明装置。
【請求項２】
前記基台は、直線部分を含む外縁を有しており、
前記三角形を形成する光源の少なくとも１つにおいては、前記基台の外縁のうちの最も接近する位置が前記直線部分上の１箇所のみである
請求項１に記載の照明装置。
【請求項３】
前記三角形を形成する光源の少なくとも１つにおける前記基台の外縁からの最短距離と、前記三角形を形成する他の光源における前記最短距離と、が異なっている
請求項１又は２に記載の照明装置。
【請求項４】
前記複数の光源は、互いに交差する２つの方向に並んで配置されている
請求項１〜３のいずれか１項に記載の照明装置。
【請求項５】
前記基台は、四角形状の外縁を有しており、
前記複数の光源は、当該外縁に沿った互いに直交する２つの方向に並んで配置されている
請求項４に記載の照明装置。
【発明の詳細な説明】
【技術分野】
【０００１】
本発明は、複数の光源と、当該複数の光源を覆うカバー部材とを備える照明装置に関する。
【背景技術】
【０００２】
従来、複数の光源と、当該複数の光源を覆うカバー部材とを備えた照明装置が知られている（例えば、特許文献１参照）。この特許文献１においては、複数の発光素子（ＬＥＤ）と、当該複数の発光素子に対応したレンズ及びレンズホルダとを備えた照明装置が開示されている。
【先行技術文献】
【特許文献】
【０００３】
【特許文献１】特開２０１０−１２３４５８号公報
【発明の概要】
【発明が解決しようとする課題】
【０００４】
しかしながら、上記従来の照明装置では、多くの光源を備えているため、当該光源からの熱がカバー部材の中でこもり、照明装置に影響を及ぼす虞があるという問題がある。
【０００５】
本発明は、上記問題を解決するためになされたものであり、光源からの熱の放熱性を向上させることができる照明装置を提供することを目的とする。
【課題を解決するための手段】
【０００６】
上記目的を達成するために、本発明の一態様に係る照明装置は、半導体発光素子を有する複数の光源と、前記複数の光源が取り付けられる基台と、前記複数の光源を覆うカバー部材とを備え、前記カバー部材は、前記複数の光源のうちの３つの光源を結び形成される三角形であって３辺の長さの合計が最小となる三角形の少なくとも一部を含む位置に、前記基台の一部を露出させる開口部を有する。
【０００７】
これによれば、照明装置は、複数の光源が基台に取り付けられてカバー部材で覆われており、カバー部材は、３つの光源を結んだ３辺の長さの合計が最小となる三角形の少なくとも一部を含む位置に、基台の一部を露出させる開口部を有している。つまり、当該３辺の長さの合計が最小となる三角形を形成する３つの光源からの熱によって、当該三角形の内方に位置する箇所が、他の箇所と比べて、比較的高温に加熱される。このため、当該三角形の内方に位置する基台の一部がカバー部材の開口部から露出していることで、当該３つの光源からの熱は、当該カバー部材の開口部から放熱される。これにより、当該照明装置において、光源からの熱の放熱性を向上させることができる。
【０００８】
また、前記基台は、直線部分を含む外縁を有しており、前記三角形を形成する光源の少なくとも１つにおいては、前記基台の外縁のうちの最も接近する位置が前記直線部分上の１箇所のみであることにしてもよい。
【０００９】
ここで、複数の光源のうち基台の角部に配置される光源は、外気との接触部分が多いが、基台の外縁の直線部分に沿って配置される光源は、外気との接触部分が少なく熱がこもりやすい。このため、３辺の長さの合計が最小となる三角形を形成する少なくとも１つの光源が、基台の外縁のうち直線部分上の１箇所のみで最も接近する構成（つまり、角部に配置されない構成）とする。これにより、熱がこもりやすい光源で形成された三角形の内方からの熱がカバー部材の開口部から放熱されるため、当該照明装置において、光源からの熱の放熱性をさらに向上させることができる。
【００１０】
また、前記三角形を形成する光源の少なくとも１つにおける前記基台の外縁からの最短距離と、前記三角形を形成する他の光源における前記最短距離と、が異なっていることにしてもよい。
【００１１】
ここで、複数の光源のうち基台の外縁から離れた光源の近くに位置する箇所が、比較的高温に加熱される。このため、基台の外縁から離れた光源を１つでも含む３つの光源で形成される三角形の内方に位置する基台の一部を、カバー部材の開口部から露出させる。これにより、当該カバー部材の開口部から放熱されるため、当該照明装置において、光源からの熱の放熱性をさらに向上させることができる。
【００１２】
また、前記三角形を形成する光源の少なくとも１つは、前記基台の中心に最も近い位置に配置されていることにしてもよい。
【００１３】
ここで、複数の光源のうち基台の中心に最も近い光源の近くに位置する箇所が、比較的高温に加熱される。このため、基台の中心に最も近い光源を１つでも含む３つの光源で形成される三角形の内方に位置する基台の一部を、カバー部材の開口部から露出させる。これにより、当該カバー部材の開口部から放熱されるため、当該照明装置において、光源からの熱の放熱性をさらに向上させることができる。
【００１４】
また、さらに、前記カバー部材の中央部分に配置され、前記カバー部材を前記基台に固定する固定部材を備え、前記カバー部材は、前記固定部材を挟む２つの前記開口部を有することにしてもよい。
【００１５】
これによれば、カバー部材は、固定部材を挟む２つの開口部を有しているため、カバー部材を基台に固定するとともに、複数の開口部から光源の熱を放熱させることで光源からの熱の放熱性をさらに向上させることができる。
【００１６】
また、前記複数の光源は、互いに交差する２つの方向に並んで配置されていることにしてもよい。
【００１７】
これによれば、複数の光源は、互いに交差する２つの方向に並んで配置されているため、少ないスペースに多くの光源を配置することができている。このため、照明装置の小型化を図ることができている。
【００１８】
また、前記基台は、四角形状の外縁を有しており、前記複数の光源は、当該外縁に沿った互いに直交する２つの方向に並んで配置されていることにしてもよい。
【００１９】
これによれば、複数の光源は、外縁に沿った互いに直交する２つの方向に並んで、格子状に配置されているため、少ないスペースにより多くの光源を配置することができている。このため、照明装置の小型化をさらに図ることができている。
【発明の効果】
【００２０】
本発明によれば、光源からの熱の放熱性を向上させることができる照明装置を提供することができる。
【図面の簡単な説明】
【００２１】
【図１】本発明の実施の形態に係る照明装置の外観を示す斜視図である。
【図２】本発明の実施の形態に係る照明装置を分解した場合の各構成要素を示す分解斜視図である。
【図３】本発明の実施の形態に係るフレーム及び光源の構成を示す平面図である。
【図４Ａ】本発明の実施の形態に係るカバー部材の構成を示す斜視図である。
【図４Ｂ】本発明の実施の形態に係るカバー部材の構成を示す斜視図である。
【図５】本発明の実施の形態に係るカバー部材がフレームに取り付けられた状態での構成を示す平面図である。
【図６】本発明の実施の形態に係るカバー部材の開口部の配置位置を示す平面図である。
【図７】本発明の実施の形態の変形例１に係るカバー部材の開口部の配置位置を示す平面図である。
【図８】本発明の実施の形態の変形例２に係るカバー部材の開口部の配置位置を示す平面図である。
【図９】本発明の実施の形態の変形例３に係るカバー部材の開口部の配置位置を示す平面図である。
【図１０】本発明の実施の形態の変形例４に係るカバー部材の開口部の配置位置を示す平面図である。
【発明を実施するための形態】
【００２２】
以下、図面を参照しながら、本発明の実施の形態に係る照明装置について説明する。なお、以下で説明する実施の形態は、本発明の一具体例を示すものである。以下の実施の形態で示される数値、形状、材料、構成要素、構成要素の配置位置及び接続形態などは、一例であり、本発明を限定する主旨ではない。また、以下の実施の形態に係る構成要素のうち、最上位概念を示す独立請求項に記載されていない構成要素については、任意の構成要素として説明される。なお、各図は、模式図であり、必ずしも厳密に図示したものではない。
【００２３】
（実施の形態）
まず、照明装置１０の構成について、説明する。
【００２４】
図１は、本発明の実施の形態に係る照明装置１０の外観を示す斜視図である。また、図２は、本発明の実施の形態に係る照明装置１０を分解した場合の各構成要素を示す分解斜視図である。
【００２５】
なお、以降の説明においては、これらの図に示す上側の方向（Ｚ軸方向プラス側）を上方、下側の方向（Ｚ軸方向マイナス側）を下方として、説明を行う。ただし、上記の方向の定義は、照明装置１０が取り付けられる場合の方向とは関係なく、照明装置１０はいずれの方向が上方又は下方になるように取り付けられてもかまわない。
【００２６】
照明装置１０は、例えば工場や体育館などの天井や側壁面等に取り付けられるＬＥＤ照明器具である。これらの図に示すように、照明装置１０は、支持部材１００、電源２００、放熱部材３００、フレーム４００、複数の光源５００及びカバー部材６００を備えている。
【００２７】
支持部材１００は、電源２００、放熱部材３００、フレーム４００、複数の光源５００及びカバー部材６００を支持する部材である。具体的には、支持部材１００は、下面に電源２００が取り付けられ、また、放熱部材３００と複数の光源５００とカバー部材６００とが取り付けられたフレーム４００を吊り下げるように支持する。なお、支持部材１００は、アルミニウムなどの金属で形成されているが、樹脂などによって形成されていてもよい。
【００２８】
電源２００は、複数の光源５００に電力を供給する電源であり、フレーム４００の複数の光源５００とは反対側（Ｚ軸方向プラス側）に配置されている。具体的には、電源２００は、支持部材１００の下方に配置され、上面及が支持部材１００の下面に固定されている。なお、電源２００の固定は、ネジ止めによって行われているが、ネジ止めには限定されず、ボルト及びナットによる締結や接着剤などによって固定されることにしてもよい。
【００２９】
電源２００は、外部から供給される交流電力を直流電力に変換し、定電流で複数の光源５００に供給する電源回路（駆動回路）を有している。つまり、電源２００は、外部の電力系統と配線で接続されて電力を受け入れるとともに、各々の光源５００と配線で接続されて各々の光源５００に定電流の直流電力を供給する。なお、電源２００には、光源５００の調光を制御する調光回路などの、電源回路以外の制御回路が内蔵されていてもかまわない。
【００３０】
放熱部材３００は、フレーム４００の上方かつ電源２００の側方に配置された金属製の板状部材であり、複数の光源５００が発する熱によって加熱されたフレーム４００から熱を放熱したり、電源２００が発する熱を放熱したりする。具体的には、放熱部材３００は、アルミニウムなどの金属板を折り曲げたような形状を有しており、下部がフレーム４００の上面に固定され、上部が電源２００を両側方（Ｘ軸方向両側方）から挟むように配置されている。なお、放熱部材３００の固定は、ネジ止めによって行われているが、ネジ止めには限定されず、ボルト及びナットによる締結や接着剤などによって固定されることにしてもよい。また、放熱部材３００は、放熱性を向上させることができるのであれば、金属以外の材質で形成されていてもよい。
【００３１】
フレーム４００は、複数の光源５００を保持し、複数の光源５００が発する熱を放熱するとともに、複数の光源５００からの光を反射して下方へ照射する金属製の板状部材である。具体的には、フレーム４００は、アルミニウムなどの金属板を折り曲げたような形状を有しており、下面に複数の光源５００及びカバー部材６００が固定されている。なお、放熱性等の観点から、フレーム４００は、熱伝導性の高い材質によって形成されるのが好ましいが、樹脂など金属以外の材質によって形成されていてもかまわない。このフレーム４００の構成の詳細な説明については、後述する。
【００３２】
光源５００は、半導体発光素子を有する発光モジュールであり、本実施の形態では、６個の光源５００が、フレーム４００の下面に固定されている。ここで、光源５００は、例えば、複数のＬＥＤチップが基板上に直接実装され、当該複数のＬＥＤチップを蛍光体含有樹脂によって一括封止したＣＯＢ（Ｃｈｉｐ  Ｏｎ  Ｂｏａｒｄ）型のＬＥＤモジュールである。なお、光源５００は、ＳＭＤ（Ｓｕｒｆａｃｅ  Ｍｏｕｎｔ  Ｄｅｖｉｃｅ）型のＬＥＤモジュールであってもよいし、半導体レーザ等のＬＥＤ以外の半導体発光素子が用いられていてもかまわない。この光源５００の構成の詳細な説明については、後述する。
【００３３】
カバー部材６００は、複数の光源５００を下方から覆うようにフレーム４００の下面に固定されて、当該複数の光源５００を保護する扁平かつ矩形状のアクリル樹脂製のカバーである。つまり、カバー部材６００は、複数の光源５００を衝撃等から守るとともに、複数の光源５００に対して埃や水が付着するのを防止する機能を有している。また、カバー部材６００は、複数の光源５００から照射される光の配光を制御するレンズとしての機能も有している。これにより、カバー部材６００は、総合的な透過率低下を軽減し、光源５００からの光を効率的に照射する、いわゆるレンズ一体型カバーである。
【００３４】
ここで、カバー部材６００は透光性を有するため、複数の光源５００は、下方から透けて見えている。なお、アクリル樹脂は透過率が高いため、レンズ部６１０はアクリル樹脂で形成されるのが好ましいが、耐熱性の観点から、レンズ部６１０の材質として、熱変形に強いポリカーボネートなどを採用してもよい。このカバー部材６００の構成の詳細な説明については、後述する。
【００３５】
次に、フレーム４００及び光源５００の構成について、詳細に説明する。
【００３６】
図３は、本発明の実施の形態に係るフレーム４００及び光源５００の構成を示す平面図である。具体的には、同図は、図１に示した照明装置１０を、カバー部材６００を取り外した状態で下方から見た場合の底面図である。
【００３７】
同図に示すように、フレーム４００は、上部（Ｚ軸方向プラス側）に配置される基台４１０と、基台４１０の下方（Ｚ軸方向マイナス側）かつ基台４１０の外周に配置される外周部４２０とを有している。また、光源５００は、基板５００ａと、基板５００ａに実装されたＬＥＤ５００ｂとを有している。
【００３８】
基板５００ａは、ＬＥＤ５００ｂを実装するための例えばアルミニウム製の矩形状のＬＥＤ実装基板である。基板５００ａは、下面にＬＥＤ５００ｂを実装した状態で、上面がフレーム４００の基台４１０の下面に取り付けられる。なお、基板５００ａの基台４１０への取り付けは、ネジ止めによって行われているが、ネジ止めには限定されず、ボルト及びナットによる締結や接着剤などによって固定されることにしてもよい。
【００３９】
また、基板５００ａには、一対のリード線（図示せず）が半田付けされている。当該リード線は、電源２００とＬＥＤ５００ｂとを電気的に接続している。これにより、当該リード線を介してＬＥＤ５００ｂに電力が供給されることで、ＬＥＤ５００ｂが発光する。
【００４０】
ＬＥＤ５００ｂは、半導体発光素子の一例であって、単色の可視光を発する複数のＬＥＤチップが配置されている。例えば、ＬＥＤ５００ｂは、通電されれば青色光を発する複数の青色発光ＬＥＤチップが、黄色蛍光体粒子を含有した樹脂で覆われることで形成されている。また、ＬＥＤ５００ｂは、白色シリコンからなる側壁（封止バンク）に囲まれて、基板５００ａの下面に実装されている。なお、ＬＥＤ５００ｂの構成は、上記には限定されない。
【００４１】
基台４１０は、複数の光源５００が取り付けられる平板状かつ矩形状の部位である。つまり、基台４１０は、Ｘ軸方向及びＹ軸方向に延びる直線部分と、隣り合う当該直線部分を繋ぐ角部とを含む四角形状の外縁を有している。なお、基台４１０の形状は、四角形状には限定されず、例えば台形状や三角形状等であってもかまわない。また、基台４１０の下面には、複数の光源５００が、互いに交差する２つの方向（Ｘ軸方向とＹ軸方向）に並んで配置されている。つまり、複数の光源５００（本実施の形態では６個の光源５０１〜５０６）の光源５００が、格子状に取り付けられている。言い換えれば、当該複数の光源５００は、基台４１０の外縁に沿った互いに直交する２つの方向（Ｘ軸方向及びＹ軸方向）に並んで配置されている。
【００４２】
また、基台４１０には、上述のリード線を挿通するための貫通孔４１１と、カバー部材６００を取り付けるための貫通孔４１２、４１３とが形成されている。貫通孔４１２は、カバー部材６００の中央部分を固定するための後述の固定部材７１０（本実施の形態ではネジ）が挿入（螺合）されるネジ孔である。また、貫通孔４１２は、カバー部材６００の四隅を固定するための後述の固定部材７２０（本実施の形態ではネジ）が挿入（螺合）されるネジ孔である。
【００４３】
外周部４２０は、複数の光源５００を囲うように、基台４１０の外周から下方に向けて広がるように形成された４つの平板状の部位からなる。つまり、外周部４２０は、下方に向かって内寸が漸次拡大するように形成された角筒状の形状を有している。外周部４２０は、複数の光源５００から発生された熱を放熱する機能を有する。つまり、複数の光源５００から発生された熱は、基台４１０及び外周部４２０を介して、外部に放熱される。また、外周部４２０は、複数の光源５００から出射される光を反射して下方に照射する機能も有する。なお、反射率を向上させるために、外周部４２０の内面に反射膜をコーティングしてもかまわない。
【００４４】
次に、カバー部材６００の構成について、詳細に説明する。
【００４５】
図４Ａ及び図４Ｂは、本発明の実施の形態に係るカバー部材６００の構成を示す斜視図である。具体的には、図４Ａは、図２に示したカバー部材６００を拡大してカバー部材６００を斜め下方から見た場合の構成を示す斜視図であり、図４Ｂは、カバー部材６００を斜め上方から見た場合の構成を示す斜視図である。
【００４６】
また、図５は、本発明の実施の形態に係るカバー部材６００がフレーム４００に取り付けられた状態での構成を示す平面図である。具体的には、同図は、図１に示した照明装置１０を下方から見た場合の底面図である。
【００４７】
これらの図に示すように、カバー部材６００は、フレーム４００の基台４１０に対して固定され、複数の光源５００を下方から覆う部材であり、レンズ部６１０と、突出部６２０と、開口部６３０と、貫通孔６４０、６５０とを有している。
【００４８】
レンズ部６１０は、光源５００から照射される光の配光を制御するレンズであり、下方に突出した形状を有している。具体的には、レンズ部６１０は、複数の光源５００の各々に対応して、複数の光源５００の各々を覆うように配置され、複数の光源５００が発する光を所定の方向に導く。
【００４９】
本実施の形態では、６個の光源５００（光源５０１〜５０６）に対応して、６個の半球形状のレンズ部６１０が備えられている。また、複数のレンズ部６１０は、複数の格子状の光源５００の各々に対応して、格子状に配置されている。なお、レンズ部６１０の個数、形状及び配列は、上記に限定されず、光源５００の個数、形状及び配列に対応して構成される。
【００５０】
突出部６２０は、フレーム４００の貫通孔４１１に対応する位置に設けられた下方に突出する断面が円形状の部位であり、内方に、貫通孔４１１に挿通されるリード線が配置される。これにより、リード線が貫通孔４１１を通過した後に折れ曲がるスペースを確保することができるため、リード線が過度に圧迫されるのを抑制することができている。なお、カバー部材６００は、Ｙ軸方向に逆に取り付けられてもよいように、Ｙ軸方向に対称の位置に２つの突出部６２０を有している。
【００５１】
開口部６３０は、カバー部材６００の中央部分に形成された長円形状の貫通孔である。本実施の形態では、カバー部材６００のＸ軸方向の中央部分に、貫通孔６４０を挟んで、Ｙ軸方向に延びる２つの開口部６３０が形成されている。つまり、６個の光源５００が、開口部６３０を囲うように、開口部６３０の周りに格子状に配置されている。なお、開口部６３０の形状は長円形状には限定されず、楕円形状、円形状、矩形状などであってもかまわない。この開口部６３０の配置位置についての詳細な説明は、後述する。
【００５２】
貫通孔６４０、６５０は、カバー部材６００をフレーム４００の基台４１０に固定するための固定部材７１０、７２０（図５参照）が挿入される断面円形状の貫通孔である。具体的には、貫通孔６４０は、カバー部材６００の中央部分に形成されており、貫通孔６５０は、カバー部材６００の四隅に形成されている。そして、固定部材７１０がカバー部材６００の中央部分に配置され、かつ、固定部材７２０がカバー部材６００の四隅に配置されて、カバー部材６００が基台４１０に固定される。
【００５３】
つまり、ネジである固定部材７１０が貫通孔６４０に挿入されて、ネジ孔である貫通孔４１２と螺合されて、カバー部材６００の中央部分が基台４１０に固定される。また、ネジである固定部材７２０が貫通孔６５０に挿入されて、ネジ孔である貫通孔４１３と螺合されて、カバー部材６００の四隅が基台４１０に固定される。
【００５４】
このように、固定部材７１０は、２つの開口部６３０の間に配置されることになる。言い換えれば、カバー部材６００は、固定部材７１０を挟む位置に、２つの開口部６３０を有している。
【００５５】
なお、本実施の形態では、カバー部材６００の固定は、ネジ止めによって行われているが、ネジ止めには限定されず、ボルト及びナットによる締結や接着剤などによって固定されることにしてもよい。この場合、一組のボルト及びナットまたは接着剤が、固定部材７１０、７２０として設けられていることになる。
【００５６】
次に、カバー部材６００に形成された開口部６３０の配置位置について、詳細に説明する。
【００５７】
図６は、本発明の実施の形態に係るカバー部材６００の開口部６３０の配置位置を示す平面図である。具体的には、同図は、図５に示した照明装置１０を下方から見た場合の底面図であるが、説明の便宜のため、図５の構成からフレーム４００の外周部４２０やカバー部材６００の突出部６２０などを省略し、また、開口部６３０をハッチングで示している。
【００５８】
同図に示すように、複数の光源５００は、互いに隣り合う３つの光源５００を有しており、開口部６３０は、当該３つの光源５００を結んで形成される三角形の内方に位置する基台４１０の一部を露出させる位置に配置されている。ここで、当該３つの光源５００は、複数の光源５００のうちの中央部分に配置される少なくとも２つの光源５００を含む光源であるのが好ましい。言い換えれば、当該３つの光源５００は、複数の光源５００のうちの少なくとも２つの光源に挟まれる光源を少なくとも２つ含んでいるのが好ましい。
【００５９】
例えば、当該３つの光源５００は、光源５０１、５０３、５０４である。ここで、光源５０３は、２つの光源５０１及び５０５に挟まれ、光源５０４は、２つの光源５０２及び５０６に挟まれている。このため、当該３つの光源５０１、５０３、５０４は、少なくとも２つの光源に挟まれる光源５０３、５０４を含む光源である。そして、開口部６３０は、当該３つの光源５０１、５０３、５０４を結んで形成される三角形Ｓ１の内方に位置する基台４１０の一部Ａ１を露出させる位置に形成されている。
【００６０】
なお、当該３つの光源５０１、５０３、５０４は、互いに隣り合う３つの光源であるが、この互いに隣り合う３つの光源とは、３つの光源のうち２つの光源を選択した場合に、選択される全ての２つの光源が隣り合っていることをいう。言い換えれば、互いに隣り合う３つの光源とは、直線上に配置されていない３つの光源であって、当該３つの光源を結んで形成される三角形（上記の場合は三角形Ｓ１）の内方に、他の光源が配置されていないことをいう。つまり、対角線上に配置される例えば光源５０１と光源５０６との関係は、この「互いに隣り合う」には含まれない。
【００６１】
また、同様に、当該３つの光源５００を光源５０２、５０３、５０４とした場合には、当該３つの光源５０２、５０３、５０４は、少なくとも２つの光源に挟まれる光源５０３、５０４を含む光源である。そして、開口部６３０は、当該３つの光源５０２、５０３、５０４を結んで形成される三角形Ｓ２の内方に位置する基台４１０の一部Ａ２を露出させる位置に形成されている。
【００６２】
また、当該３つの光源５００は、複数の光源５００が有する３つの光源５００を結んで形成される三角形のうちの３辺の長さの合計が最小となる三角形を形成する光源であるのが好ましい。つまり、本実施の形態では、三角形Ｓ１と三角形Ｓ２とは、３辺の長さの合計が同じではあるが、例えば三角形Ｓ１の方が当該長さの合計が小さい場合には、光源５０１が選択され、開口部６３０は、当該３つの光源５０１、５０３、５０４を結んで形成される三角形Ｓ１の内方に位置する基台４１０の一部Ａ１を露出させる位置に形成されるのが好ましい。このように、カバー部材６００は、複数の光源５００のうちの３つの光源を結び形成される三角形であって３辺の長さの合計が最小となる三角形（例えば三角形Ｓ１）の少なくとも一部を含む位置に、基台４１０の一部を露出させる開口部６３０を有している。
【００６３】
また、当該３つの光源５００は、複数の光源５００が有する３つの光源５００を結んで形成される三角形のうちの最小の面積を有する三角形を形成する光源であるのが好ましい。つまり、本実施の形態では、三角形Ｓ１と三角形Ｓ２とは、同じ大きさの面積を有しているが、例えば三角形Ｓ１の方が面積が小さい場合には、光源５０１が選択され、開口部６３０は、当該３つの光源５０１、５０３、５０４を結んで形成される三角形Ｓ１の内方に位置する基台４１０の一部Ａ１を露出させる位置に形成されるのが好ましい。このように、カバー部材６００は、複数の光源５００のうちの３つの光源を結び形成される最小の面積を有する三角形（例えば三角形Ｓ１）の少なくとも一部を含む位置に、基台４１０の一部を露出させる開口部６３０を有している。
【００６４】
また、当該三角形を形成する３つの光源５００は、全てが基台４１０の角部に配置されているような構成ではなく、当該３つの光源５００のうちの少なくとも１つは、基台４１０の角部に配置されていない構成である。言い換えれば、当該三角形を形成する光源５００の少なくとも１つにおいては、基台４１０の外縁のうちの最も接近する位置が、当該外縁の直線部分上の１箇所のみである。
【００６５】
つまり、例えば光源５０３は、基台４１０の外縁のうちの最も接近する位置が、基台４１０の外縁のうちのＸ軸方向マイナス側の直線部分上の１箇所のみである。また、光源５０４は、基台４１０の外縁のうちの最も接近する位置が、基台４１０の外縁のうちのＸ軸方向プラス側の直線部分上の１箇所のみである。これに対し、例えば光源５０１は、基台４１０の外縁のうちの最も接近する位置が、基台４１０の外縁のうちのＸ軸方向マイナス側の直線部分上及びＹ軸方向プラス側の直線部分上の２箇所である。つまり、基台４１０の角部に配置される光源５００は、基台４１０の外縁のうちの最も接近する位置が２箇所となる。このように、三角形Ｓ１を形成する光源５００のうちの光源５０３及び５０４は、基台４１０の外縁のうちの最も接近する位置が、当該外縁の直線部分上の１箇所のみであるため、少なくとも１つの光源５００において、基台４１０の外縁のうちの最も接近する位置が、当該外縁の直線部分上の１箇所のみであると言える。
【００６６】
また、開口部６３０は、三角形Ｓ１と三角形Ｓ２とが重なる領域の内方に位置する基台４１０の一部を露出させる位置に形成されているのがさらに好ましい。つまり、少なくとも２つの光源に挟まれる光源５０３、５０４と、異なる２つの光源５０１及び５０２の各々とを結んで形成される異なる２つの三角形Ｓ１及びＳ２が重なる領域の内方に位置する基台４１０の一部を露出させる位置に、開口部６３０が形成されているのが好ましい。光源５００からの熱によって、この三角形Ｓ１と三角形Ｓ２とが重なる領域が、比較的温度が高くなるからである。
【００６７】
同図では、基台４１０の一部Ａ３（Ａ１とＡ２との重なり部分）が開口部６３０から露出している。また、本実施の形態では、開口部６３０がＹ軸方向に延びて形成されているため、三角形Ｓ１と三角形Ｓ２とが重なる領域から露出する基台４１０の面積を大きくすることができている。
【００６８】
なお、上記ではＹ軸方向プラス側の開口部６３０（光源５０１〜５０４）について説明したが、Ｙ軸方向マイナス側の開口部６３０（光源５０３〜５０６）についても、同様である。
【００６９】
以上のように、本実施の形態における照明装置１０によれば、複数の光源５００が基台４１０に取り付けられてカバー部材６００で覆われており、カバー部材６００は、３つの光源５００を結んだ３辺の長さの合計が最小となる三角形の少なくとも一部を含む位置に、基台４１０の一部を露出させる開口部６３０を有している。つまり、当該３辺の長さの合計が最小となる三角形を形成する３つの光源５００からの熱によって、当該三角形の内方に位置する箇所が、他の箇所と比べて、比較的高温に加熱される。このため、当該三角形の内方に位置する基台４１０の一部がカバー部材６００の開口部６３０から露出していることで、当該３つの光源５００からの熱は、開口部６３０から放熱される。これにより、照明装置１０において、光源５００からの熱の放熱性を向上させることができる。
【００７０】
また、カバー部材６００に開口部６３０を形成することで、軽量化を図ることもできる。
【００７１】
また、複数の光源５００のうち基台４１０の角部に配置される光源５００は、外気との接触部分が多いが、基台４１０の外縁の直線部分に沿って配置される光源５００は、外気との接触部分が少なく熱がこもりやすい。このため、３辺の長さの合計が最小となる三角形を形成する少なくとも１つの光源５００が、基台４１０の外縁のうち直線部分上の１箇所のみで最も接近する構成（つまり、角部に配置されない構成）とする。これにより、熱がこもりやすい光源５００で形成された三角形の内方からの熱がカバー部材６００の開口部６３０から放熱されるため、照明装置１０において、光源５００からの熱の放熱性をさらに向上させることができる。
【００７２】
また、複数の光源５００のうちの少なくとも２つの光源に挟まれる光源５００（中央部分の光源５００）の近くに位置する箇所が、比較的高温に加熱される。このため、当該少なくとも２つの光源に挟まれる少なくとも２つの光源５００を含む３つの光源５００で形成される三角形の内方に位置する基台４１０の一部を、カバー部材６００の開口部６３０から露出させる。これにより、カバー部材６００の開口部６３０から放熱されるため、照明装置１０において、光源５００からの熱の放熱性をさらに向上させることができる。
【００７３】
また、照明装置１０は、カバー部材６００の中央部分を基台４１０に固定する固定部材７１０を備えているため、カバー部材６００に開口部６３０が形成されていても、少ない固定部材で、カバー部材６００が撓むのを抑制することができる。
【００７４】
また、カバー部材６００は、固定部材７１０を挟む２つの開口部６３０を有しているため、カバー部材６００を基台４１０に固定するとともに、複数の開口部６３０から光源５００の熱を放熱させることで光源５００からの熱の放熱性をさらに向上させることができる。
【００７５】
また、複数の光源５００は、互いに交差する２つの方向に並んで配置されているため、少ないスペースに多くの光源５００を配置することができている。特に、複数の光源５００は、基台４１０の外縁に沿った互いに直交する２つの方向に並んで、格子状に配置されているため、少ないスペースにより多くの光源５００を配置することができている。このため、照明装置１０の小型化を図ることができている。
【００７６】
また、照明装置１０は、基台４１０の複数の光源５００とは反対側に電源２００を備えているため、例えば基台４１０に貫通孔を形成して、当該貫通孔から熱を逃がす場合には、電源２００に向けて熱が放熱されるため、電源２００に影響を及ぼす虞がある。このため、カバー部材６００に開口部６３０を形成して、開口部６３０から熱を放熱させることで、電源２００に及ぼす影響を低減することができる。
【００７７】
（変形例１）
次に、本発明の実施の形態の変形例１について、説明する。図７は、本発明の実施の形態の変形例１に係るカバー部材６０１の開口部６３１の配置位置を示す平面図である。具体的には、同図は、図６に対応する図である。
【００７８】
同図に示すように、カバー部材６０１には、カバー部材６０１のＹ軸方向の中央部分に、固定部材７１０を挟んで、Ｘ軸方向に延びる２つの長円形状の開口部６３１が形成されている。
【００７９】
そして、例えば、上記の３つの光源５００を光源５０１、５０３、５０４とした場合には、当該３つの光源５０１、５０３、５０４は、少なくとも２つの光源に挟まれる光源５０３、５０４を含んでおり、かつ、３辺の長さの合計が最小となる（または最小の面積を有する）三角形を形成する光源である。そして、開口部６３１は、当該３つの光源５０１、５０３、５０４を結んで形成される三角形Ｓ１の内方に位置する基台４１０の一部Ａ４を露出させる位置に形成されている。
【００８０】
また、同様に、当該３つの光源５００を光源５０２、５０３、５０４とした場合には、当該３つの光源５０２、５０３、５０４は、少なくとも２つの光源に挟まれる光源５０３、５０４を含んでおり、かつ、３辺の長さの合計が最小となる（または最小の面積を有する）三角形を形成する光源である。そして、開口部６３１は、当該３つの光源５０２、５０３、５０４を結んで形成される三角形Ｓ２の内方に位置する基台４１０の一部Ａ５を露出させる位置に形成されている。
【００８１】
なお、上記ではＹ軸方向プラス側の開口部６３１（光源５０１〜５０４）について説明したが、Ｙ軸方向マイナス側の開口部６３１（光源５０３〜５０６）についても、同様である。
【００８２】
以上のように、本変形例における照明装置によれば、上記実施の形態と同様の効果を奏することができる。特に、開口部６３１がＸ軸方向に延びて形成されているため、上記実施の形態と比較して、三角形Ｓ１及びＳ２で形成される領域から露出する基台４１０の面積を大きくすることができる。
【００８３】
（変形例２）
次に、本発明の実施の形態の変形例２について、説明する。図８は、本発明の実施の形態の変形例２に係るカバー部材６０２の開口部６３２の配置位置を示す平面図である。具体的には、同図は、図６に対応する図である。
【００８４】
同図に示すように、基台４１０には、光源５０１〜５０６に加えて、３つの光源５０７〜５０９が設けられている。つまり、光源５０１と５０２との間に光源５０７が設けられ、光源５０３と５０４との間に光源５０８が設けられ、光源５０５と５０６との間に光源５０９が設けられている。
【００８５】
また、カバー部材６０２には、カバー部材６０２の少なくとも２つの光源に挟まれる光源５０８の周囲に、４つの開口部６３２が形成されている。なお、Ｙ軸方向プラス側の２つの開口部６３２の間と、Ｙ軸方向マイナス側の２つの開口部６３２の間には、固定部材７３０が配置されている。
【００８６】
このような構成において、例えば、上記の３つの光源５００を光源５０３、５０７、５０８とした場合には、当該３つの光源５０３、５０７、５０８は、少なくとも２つの光源に挟まれる光源５０３、５０８を含んでおり、かつ、３辺の長さの合計が最小となる（または最小の面積を有する）三角形を形成する光源である。そして、開口部６３２は、当該３つの光源５０３、５０７、５０８を結んで形成される三角形Ｓ３の内方に位置する基台４１０の一部Ａ７を露出させる位置に形成されている。
【００８７】
また、上記の三角形を形成する光源５００の少なくとも１つにおける基台４１０の外縁からの最短距離と、当該三角形を形成する他の光源５００における最短距離と、が異なっている。つまり、例えば、三角形Ｓ３を形成する３つの光源５０３、５０７、５０８のうちの光源５０３及び５０７における基台４１０の外縁からの最短距離と、光源５０８における最短距離と、が異なっている。
【００８８】
さらに、当該三角形を形成する光源５００の少なくとも１つは、基台４１０の中心に最も近い位置に配置されている。つまり、例えば、三角形Ｓ３を形成する３つの光源５０３、５０７、５０８のうちの光源５０８は、基台４１０の中心位置に配置されている。
【００８９】
なお、少なくとも２つの光源に挟まれる光源５０３、５０８と三角形を形成するもう１つの光源は、光源５０１ではなく、光源５０１と５０２との間の光源５０７であるのが好ましい。つまり、複数の光源５００の中央部分（中心位置）から近い方の光源５０７が選択されるのが好ましい。複数の光源５００の中央部分が、比較的温度が高くなるからである。
【００９０】
また、同様に、当該３つの光源５００を光源５０４、５０７、５０８とした場合には、当該３つの光源５０４、５０７、５０８は、少なくとも２つの光源に挟まれる光源５０４、５０８を含んでおり、かつ、３辺の長さの合計が最小となる（または最小の面積を有する）三角形を形成する光源である。そして、開口部６３２は、当該３つの光源５０４、５０７、５０８を結んで形成される三角形Ｓ４の内方に位置する基台４１０の一部Ａ８を露出させる位置に形成されている。
【００９１】
なお、上記ではＹ軸方向プラス側の２つの開口部６３２（光源５０１〜５０４、５０７、５０８）について説明したが、Ｙ軸方向マイナス側の２つの開口部６３２（光源５０３〜５０６、５０８、５０９）についても、同様である。
【００９２】
以上のように、本変形例における照明装置によれば、上記実施の形態と同様の効果を奏することができる。特に、光源５００の数が増えた場合でも、放熱性を向上させる開口部６３２を容易に形成し、かつ、基台４１０にカバー部材６０２をしっかりと固定することができる。
【００９３】
また、複数の光源５００のうち基台４１０の外縁から離れた光源５００の近くに位置する箇所が、比較的高温に加熱される。このため、基台４１０の外縁から離れた光源５００を１つでも含む３つの光源５００で形成される三角形の内方に位置する基台４１０の一部を、カバー部材６０２の開口部６３２から露出させる。これにより、カバー部材６０２の開口部６３２から放熱されるため、照明装置において、光源５００からの熱の放熱性をさらに向上させることができる。
【００９４】
また、複数の光源５００のうち基台４１０の中心に最も近い光源５００の近くに位置する箇所が、比較的高温に加熱される。このため、基台４１０の中心に最も近い光源５００を１つでも含む３つの光源５００で形成される三角形の内方に位置する基台４１０の一部を、カバー部材６０２の開口部６３２から露出させる。これにより、カバー部材６０２の開口部６３２から放熱されるため、照明装置において、光源５００からの熱の放熱性をさらに向上させることができる。
【００９５】
（変形例３）
次に、本発明の実施の形態の変形例３について、説明する。図９は、本発明の実施の形態の変形例３に係るカバー部材６０３の開口部６３３の配置位置を示す平面図である。具体的には、同図は、図６に対応する図である。
【００９６】
同図に示すように、基台４１０には、上記の変形例２と同様に、９つの光源５０１〜５０９が設けられている。また、カバー部材６０３には、カバー部材６０３の中央部分の光源５０８の周囲に、円形状（ドーナツ形状）の開口部６３３が形成されている。なお、基台４１０にカバー部材６０３を固定する固定部材も適宜配置されるが、省略して図示している。
【００９７】
このような構成において、例えば、上記の３つの光源５００を光源５０３、５０７、５０８とした場合には、当該３つの光源５０３、５０７、５０８は、少なくとも２つの光源に挟まれる光源５０３、５０８を含んでおり、かつ、３辺の長さの合計が最小となる（または最小の面積を有する）三角形を形成する光源である。そして、開口部６３３は、当該３つの光源５０３、５０７、５０８を結んで形成される三角形Ｓ３の内方に位置する基台４１０の一部Ａ９を露出させる位置に形成されている。なお、上記変形例２と同様に、少なくとも２つの光源に挟まれる光源５０３、５０８と三角形を形成するもう１つの光源は、光源５０７が選択されるのが好ましい。
【００９８】
また、同様に、当該３つの光源５００を光源５０４、５０７、５０８とした場合には、当該３つの光源５０４、５０７、５０８は、少なくとも２つの光源に挟まれる光源５０４、５０８を含んでおり、かつ、３辺の長さの合計が最小となる（または最小の面積を有する）三角形を形成する光源である。そして、開口部６３３は、当該３つの光源５０４、５０７、５０８を結んで形成される三角形Ｓ４の内方に位置する基台４１０の一部Ａ１０を露出させる位置に形成されている。なお、Ｙ軸方向マイナス側についても、同様である。
【００９９】
以上のように、本変形例における照明装置によれば、上記実施の形態と同様の効果を奏することができる。特に、開口部６３３を光源５０８の周囲に形成することで、三角形Ｓ３及びＳ４の内方に開口部６３３を形成することができ、三角形Ｓ３及びＳ４から露出する基台４１０の面積を大きくすることができる。
【０１００】
（変形例４）
次に、本発明の実施の形態の変形例４について、説明する。図１０は、本発明の実施の形態の変形例４に係るカバー部材６０４の開口部６３４の配置位置を示す平面図である。具体的には、同図は、図６に対応する図である。
【０１０１】
同図に示すように、基台４１０には、上記の変形例３の光源５０１〜５０９に加えて、２つの光源５１０及び５１１が設けられている。つまり、光源５０７と５０８との間の光源５０７寄りに光源５１０が設けられ、光源５０８と５０９との間の光源５０９寄りに光源５１１が設けられている。また、カバー部材６０４には、カバー部材６０４の中央部分の光源５０８の周囲に円形状（ドーナツ形状）、Ｘ軸方向中央部分かつＹ軸方向両側の光源５０７及び５０９の周囲に半円形状の開口部６３４が形成されている。なお、基台４１０にカバー部材６０３を固定する固定部材も適宜配置されるが、省略して図示している。
【０１０２】
このような構成において、例えば、上記の３つの光源５００を光源５０３、５０８、５１０とした場合には、当該３つの光源５０３、５０８、５１０は、少なくとも２つの光源に挟まれる光源５０３、５０８を含む光源である。そして、開口部６３４は、当該３つの光源５０３、５０８、５１０を結んで形成される三角形Ｓ７の内方に位置する基台４１０の一部を露出させる位置に形成されている。なお、３つの光源５０３、５０８、５１０は、３辺の長さの合計が最小となる（または最小の面積を有する）三角形を形成する光源ではない。
【０１０３】
また、開口部６３４は、３つの光源５０１、５０７、５１０を結んで形成される三角形Ｓ６の内方に位置する基台４１０の一部を露出させる位置にも形成されている。つまり、光源５０１、５０７、５１０は、３辺の長さの合計が最小となる（または最小の面積を有する）三角形を形成する光源であるが、少なくとも２つの光源に挟まれる光源（光源５０３、５０８、５０４）を含んでいない。他の光源についても、同様である。
【０１０４】
以上のように、本変形例における照明装置によれば、上記実施の形態と同様の効果を奏することができる。特に、三角形を形成する３つの光源５００は、少なくとも２つの光源に挟まれる少なくとも２つの光源を含むか、または、３辺の長さの合計が最小となる（または最小の面積を有する）三角形を形成する光源であれば、光源５００からの熱の放熱性を向上させる効果を奏することができる。
【０１０５】
以上、本発明の実施の形態及びその変形例に係る照明装置について説明したが、本発明は、この実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１０６】
例えば、上記の実施の形態及びその変形例では、複数の光源５００は、Ｘ軸方向とＹ軸方向とに並んで配置されていることとした。しかし、複数の光源５００は、互いに交差する２つの方向に並んで配置されていればよく、Ｘ軸方向から傾斜した方向、及び／または、Ｙ軸方向から傾斜した方向に並んで配置されていてもかまわない。また、光源５００は、円環状など環状に配置されていてもよいし、ランダムに配置されていてもかまわない。
【０１０７】
また、上記の実施の形態及びその変形例では、照明装置は、基台４１０の複数の光源５００とは反対側に電源２００を備えていることとした。しかし、電源２００の配置される位置は、上記には限定されず、例えばフレーム４００の側方などであってもかまわない。
【産業上の利用可能性】
【０１０８】
本発明は、光源からの熱の放熱性を向上させることができる照明装置等に適用できる。
【符号の説明】
【０１０９】
１０  照明装置
１００  支持部材
２００  電源
３００  放熱部材
４００  フレーム
４１０  基台
４１１、４１２、４１３  貫通孔
４２０  外周部
５００、５０１〜５１１  光源
５００ａ  基板
５００ｂ  ＬＥＤ
６００、６０１、６０２、６０３、６０４  カバー部材
６１０  レンズ部
６２０  突出部
６３０、６３１、６３２、６３３、６３４  開口部
６４０、６５０  貫通孔
７１０、７２０、７３０  固定部材
【図１】
0006610136.tif 000002
【図２】
0006610136.tif 000003
【図３】
0006610136.tif 000004
【図４Ａ】
0006610136.tif 000005
【図４Ｂ】
0006610136.tif 000006
【図５】
0006610136.tif 000007
【図６】
0006610136.tif 000008
【図７】
0006610136.tif 000009
【図８】
0006610136.tif 000010
【図９】
0006610136.tif 000011
【図１０】
0006610136.tif 000012